(57)【特許請求の範囲】
【請求項１】
ハウジング（２）、回路板（４）に連結された前記ハウジング（２）内の電気コンタクト（３）、前記回路板（４）に連結された電気ケーブル（６）の多導体（５）、及び前記回路板（４）上の信号調整回路（７）を具備し、該回路（７）は、前記電気コンタクト（３）及び前記多導体（５）間に介在し、絶縁ホルダ（８）が前記回路板（４）に取り付けられ、前記コンタクト（３）は前記ホルダ（８）を貫通して延びており、前記ホルダ（８）は前記ハウジング（２）のキャビティ（４３）に取り付けられている電気ケーブル組立体において、
前記ハウジング（２）の各側（４４）に溝（４５）があり、
該溝（４５）及び前記キャビティ（４３）は、前記ハウジング（２）の後部（３４）を貫通して延びており、
前記ホルダ（８）及び前記回路板（４）用の通路が、前記キャビティ（４３）により前記ハウジング（２）の前記後部（３４）を貫通して形成され、
前記ハウジング（２）の前記溝（４５）内に突出する、前記ハウジング（２）と一体の弾性片持ち梁状のラッチ指（４６）が、前記ホルダ（８）のラッチ指（２３）を錠止することにより、前記回路板（４）の端縁が前記溝（４５）により保持され、
前記回路板（４）は、上層（１０）及び底層（１２）である前記信号調整回路（７）と、前記上層（１０）及び底層（１２）間の中層（１１）である接地面（１３）を有し、前記上層（１０）、前記底層（１２）及び前記中層（１１）からなるマイクロストリップ構造により所定のインピーダンスを得ることを特徴とする電気ケーブル組立体（１）。
【請求項２】
更に、前記回路板（４）の導電パッド（１７，１９）が前記キャビティ（４３）の開口側に向いており、
前記コンタクト（３）及び前記ケーブル（６）の前記導体（５）は、対応する前記導体パッドに載置され、
前記コンタクト（３）と前記パッド（１７）との接続部が前記開口側を通して視認されることを特徴とする請求項１に記載の電気ケーブル組立体（１）。
【請求項３】
更に、コンタクト受容通路（２５）が前記キャビティ（４３）の前部に延びており、
前記コンタクト（３）は前記ホルダ（８）の前方に突出し、且つ対応する前記通路（２５）に沿って延びることを特徴とする請求項１に記載の電気ケーブル組立体（１）。
【発明の詳細な説明】
【技術分野】
本発明は電気ケーブル組立体に関する。
【背景技術】
米国特許第５３５８４２６号、及び同第４０２３８７９号に開示された電気ケーブル組立体は、多電気導体を有する電気ケーブル、ケーブルに取付けられたハウジング、及びハウジング内の電気コンタクトを具える。信号調整（コンディショニング）回路素子のないケーブル組立体については、電気コンタクトは各ケーブル導体に直接接続される。レジスタ（抵抗器）、キャパシタ（コンデンサ）、インダクタのような信号調整回路素子のあるケーブル組立体では、回路素子はハウジングに取付けられてハウジング内の電気コンタクトに接続される。回路素子が個別であるか、分離した回路素子であれば、各々は個別にハウジングに、且つ個別に電気コンタクトに接続されねばならない。個々の回路素子をケーブル組立体に組み込むのに時間を要する。更に、個々の回路素子をケーブル導体、及び電気コンタクトに接続するのに時間を要する。
解決すべき課題は、信号調整回路素子がハウジングに組み込まれ、電気コンタクト及び多ケーブル導体に接続する方法を改良することである。
【発明の開示】
本発明によると、電気ケーブル組立体は、ハウジング、回路板に連結されたハウジング内の電気コンタクト、回路板に連結された電気ケーブルの多導体、及び回路板上の信号調整回路を具備し、該回路は、電気コンタクト及び多導体間に介在し、絶縁ホルダが回路板に取り付けられ、コンタクトはホルダを貫通して延びており、ホルダはハウジングのキャビティに取り付けられている電気ケーブル組立体において、ハウジングの各側に溝があり、該溝及びキャビティは、ハウジングの後部を貫通して延びており、ホルダ及び回路板用の通路が、キャビティによりハウジングの後部を貫通して形成され、ハウジングの溝内に突出する、ハウジングと一体の弾性片持ち梁状のラッチ指が、ホルダのラッチ指を錠止することにより、回路板の端縁が溝により保持され、回路板は、上層及び底層である信号調整回路と、上層及び底層間の中層である接地面を有し、上層、底層及び中層からなるマイクロストリップ構造により所定のインピーダンスを得ることを特徴とする。
【発明を実施するための形態】
以下に、添付図を参照して本発明の実施の形態について説明する。
図を参照すると、電気ケーブル組立体１は、ハウジング２、回路板４に連結されたハウジング２内の電気コンタクト３、回路板４に連結された電気ケーブル６の多導体５、回路板４上にあって電気コンタクト３と導体５間に介在する単一の調整回路７、及び回路板４に取り付けられた絶縁ホルダ８を有し、コンタクト３はホルダ８上に延び、ホルダ８はハウジング２のキャビティに取り付けられている。
多層回路板構造である回路板４は、上層１０、中層１１及び底層１２を有する平坦な絶縁基板９を具える。中層１１は基板９の絶縁材料によって他の層１０、１２から分離されている。
中層１１は、電気的な接地としての導体接地面１３を有し、中層１１を貫通して延びるメッキされた開口１４を有する。これらのメッキされた開口１４は上層１０及び底層１２を貫通して延びる。開口１４内では、メッキにより上層１０と底層１２が接地面１３に電気的に接続される。上層１０の信号調整回路７は、四角形の複数の導電パッド１５、及び種々の導電パッド１５とメッキされた開口１４を相互接続する多数の比較的狭い回路パス１６の形状をとっている。各パッド１５は、信号調整をする電気素子を示すインピーダンス記号、Ｒ又はＬ又はＣによって識別されるが、それらは工業技術標準書ＡＮＳＩ  Ｘ３  ＴＩ  １／ＦＣ−０，ＡＮＳＩ  Ｘ３ＴＩＩ仕様、及び高速シリアルデータコネクタ用のＡＮＳＩ  Ｘ３Ｔ１０．１の要求条件を満足する。素子はケーブルの構成、データの速度及びケーブル組立体１の長さにより変化し、以下の代表的な値を有する。
Ｒ１＝  ７５  Ｏｈｍ    Ｒ７＝  ３７  Ｏｈｍ
Ｒ２＝  ７５  Ｏｈｍ    Ｒ８＝７５  Ｏｈｍ
Ｒ３＝１５０  Ｏｈｍ    Ｌ１＝３９０  ｎＨ
Ｒ４＝  ７５  Ｏｈｍ    Ｃ１＝  ３３  ｐＦ
Ｒ５＝  ３７  Ｏｈｍ    Ｃ２＝  ３３  ｐＦ
Ｒ６＝１５０  Ｏｈｍ
素子は、半田付け作業によりパッドに取付けられる、図示しない個別の、即ち独立した回路素子として構成することができる。代わりに、インピーダンスは、既知のマイクロストリップ製造工程により製造された平板状のマイクロストリップ構造により得ることができる。
信号調整回路７の上層１０は、更に対応する電気コンタクト３に接続するために回路板４の端縁１８に沿って３個の導電パッド１７の列を有する。
信号調整回路７の下層１２は、対応する電気コンタクト３に接続するために回路板４の端縁１８に沿って３個の導体パッド１７の列、対応するケーブル導体５に接続するために回路板４の他の端縁２０に沿って６個の導体パッド１９の列、及び種々のパッド１９とメッキされた開口１４を相互接続する電気回路パス１６を有する。ケーブル導体５は別体の電気ケーブルから延びることができ、或いは示す如く単一の電気ケーブル６からまとめて延びることができる。
各電気コンタクト３は図示のごとき構成を有する。各コンタクト３は厚み面を有する金属ストリップから打ち抜き形成される。各コンタクト３は、キャリヤストリップ２１から延び、次にキャリヤストリップ２１から切断される。側面図にはコンタクト３の長さに沿う種々の湾曲部２２と共に側縁に沿うコンタクト３の厚み面が示されている。
絶縁ホルダ８は一体成形構造である。突出した、テーパ付きのラッチ指２３はホルダ８の外端２４から突出している。離隔した通路２５の列は、ホルダ８の前端２６と後端２７間に延びる。後端２７の凹部２９により各通路２５が切り取られている。通路２５は凹部２９の近傍に延びて凹部２９と連通している。
各コンタクト３は、通路２５のいずれか一つと摩擦係合する。コンタクト３が各通路２５に取付けられると、コンタクト３は前端２６から後端２７へとホルダ８を貫通して延びる。コンタクト３は凹部２９内に突出する。
回路板４の前端３０は、摩擦係合により凹部２９に受容される。ホルダ８によって各コンタクト３は前端に沿って対応するパッドと整列される。コンタクト３の後端はホルダ８の後端を越えて突出し、ホルダ８の後端を越えて突出する対応するパッドの上に載置される。コンタクト３及びパッドの両方とも視認検査のために露出し、コンタクト３とパッドとの接続を達成している。コンタクト３は、はんだを盛ったパッドと接続できる。例えば、パッドはコンタクト３が載置される前に固体化されるはんだにより塗布（コート）されることができる。はんだは熱をかけることによりリフローされコンタクト３とパッドを接続することができる。結合されたパッドとコンタクト３は、はんだ接続部の不良を視認検査することができる。回路板４は更にホルダ８によって保持され、回路板４のパッドにケーブル導体５が接続される。図示するごとく、ケーブル導体５は、ケーブル６或いは、多ケーブルから回路板４の両側の各パッド１７に延びる。ケーブル導体５はパッド１９にはんだにより接続される。
ハウジング２は、絶縁材料から成形された一体構造である。ラッチアーム３１は、ハウジング２の頂側３３に先端３１が連結された片持ち梁ビームである。ラッチアーム３１は、先端３２からハウジング２の後部３４の方へ外側に傾斜して延びる。ハウジング２の前部嵌合端３５は、横方向にハウジング２の底側３７に開口する開口３６を有する。開口３６の横方向近傍にはコンタクト受容溝３８の列が、ハウジング２の舌部３９に沿って引っ込んで延びている。溝３８は一層狭い前部４０を有し、コンタクト３の一層狭い先端４１を受容する。開口３６により底側３７を通して溝３８を完全に露出し、溝３８に沿ってコンタクト３が適切に係合していることを検査可能にしている。この効果は、コンタクト３が損傷を受けやすい狭い先端を有しているときに、特に重要である。
ハウジング２内で溝３８は、キャビティ４３の前壁４２を通過して延びる。キャビティ４３は、全ての溝３８を横切って延びる幅を有する。幅はハウジング２の対抗する側部４４に延びる。回路板受容溝４５はハウジング２の側部４４に引込んでおり、溝４５はキャビティ４３に開口する。弾性的に撓み可能なラッチ指４６はキャビティ４３内に入り、溝４５を遮っている。各ラッチ指４６はハウジング２の残余と一体である。各ラッチ指４６は指４６の３つの側部に沿って貫通し、弾性片持ち梁ビームとして指４６を形成するスリット４７によって構成される。ラッチ指４６の各先端の傾斜突起４８は対応する溝４５内に突出する。
溝４５及びキャビティ４３はハウジング２の後部３４を貫通して延びる。第１窓５０によりハウジング２の開口した底側３７が形成される。窓５０はキャビティ４３の幅に亘り開口３６と連通する。開口３６は、底側からハウジング２を見たとき、ハウジング２の内部に露出する。ハウジング２を底側５１から見たとき、開口３６は溝３８の長さを露出する。第１窓５０はキャビティ４３の前壁４２からハウジング２の後部３４へ延びる。第２窓５２により、ハウジング２の開口した頂側５３が形成される。第２窓５２はキャビティ４３の幅に亘り、ハウジング２の後部を貫通して延び、端壁５４へ向かって前方に延びる。第２窓５２は、第１窓５０より前後が短い。
ハウジング２、回路板４、ホルダ８、及びコンタクト３の組立てについて次に述べる。コンタクト３及び回路板４は、ここに述べる如くホルダ８に取付けられる。ホルダ８がハウジング２の後部に挿入されると、コンタクト３はホルダ８の前方に突出し、対応する溝３８と整列する。ホルダ８の突出したラッチ指２３は溝４５と整列する。ホルダ８は、ハウジング２に対し相対的に前方に移動する。ホルダ８のラッチ指２３は溝４５に沿って前方に摺動し、ハウジング２のラッチ指４６を外側に撓める。一旦、ホルダ８のラッチ指２３がハウジング２の撓められたラッチ指４６を通過すると、ハウジング２のラッチ指４６は弾性的に撓み、そして最初の位置に復帰し、これによってホルダ８のラッチ指２３に錠止し、ホルダ８の後方への移動が阻止される。ホルダ８の前端２６はハウジング２の前壁４２に面し、それ以上の前方への移動を阻止している。コンタクト３は対応する溝３８に沿って内部に移動する。コンタクト３及びケーブル導体５の回路板４との接続部は、対応する窓５０，５２を通して視認検査が可能である。回路板４の導電パッド１７，１９はハウジング２の対応する開口側に向く。コンタクト３及びケーブル６の導体５は対応する導体パッド１７，１９上に配置され、コンタクト３及びパッド１７、及びケーブル導体５との接続は、開口側を通して視認される。回路板４は溝４５によって保持された端縁を有する。
回路板４は、その両側に間隙５５を有してハウジング２の中央に保持される。間隙５５は窓５０，５２によって露出されて保護されていない回路板４が短絡するのを防止するのに十分である。導体シールド５６は、窓５０，５２を覆いハウジング２を囲む２枚の金属板シェル５７，５８から構成される。シェル５７，５８は同じ物であり、ハウジング２の後部４９を超えて後方に延びる。両シェル５６の後部の溝５９は、電気ケーブル６を囲んで閉鎖し、ケーブル６を把持するストレインリリーフ６０を形成する。ケーブル６に加わった引っ張り力は、ストレインリリーフ６０によって吸収され、引っ張り力がケーブル導体５と回路板４との接続部に伝達されることが防止される。
絶縁オーバーモールド６１は、シールド５６及びケーブル６を覆う。オーバーモールド６１はシールド５６の後部を覆い、及びケーブル６を囲んで曲げに対するストレインリリーフ５８を構成する為にその部分でモールドされる。
本発明の特徴は、ケーブル組立体１は電気コンタクト３及び多ケーブル導体５に対し回路板４を整列する為に構成されたハウジング２を有し、信号導体回路７と、コンタクト３及びケーブル導体５との接続に要する時間を改善することである。
【図面の簡単な説明】
【図１】ケーブル組立体の平面図である。
【図２】図１に示すケーブル組立体の側面図である。
【図３】電気ケーブルの断面図である。
【図４】図１に示すケーブル組立体の一部を有するハウジングの平面図である。
【図５】図４に示すハウジングの側面図である。
【図６】図５に示すハウジングを部分的に断面した側面図である。
【図７】図４に示すハウジングの底面図である。
【図８】図７に示すハウジングの端面図である。
【図９】図１に示すケーブル組立体の一部を有するホルダの正面図である。
【図１０】図９に示すホルダの平面図である。
【図１１】図１０に示すホルダの断面図である。
【図１２】図９に示すホルダの端面図である。
【図１３】除去可能なキャリヤストリップ上の電気コンタクトの平面図である。
【図１４】図１３に示すコンタクトの側縁に沿う図である。
【図１５】図１４と同様な図であり、図１３に示す複数のコンタクトと組み合わされたホルダを示す。
【図１６】電気シールドの一部を有する導電シェルの側面図である。
【図１７】図１６に示すシェルの平面図である。
【図１８】図１７に示すシェルの側面図である。
【図１９】図１８に示すシェルの溝部の断面図である。
【図２０】回路板の上層の平面図である。
【図２１】図２０に示す回路板の中間層の平面図である。
【図２２】図２０に示す回路板の底層の底面図である。
【図１】
0003865263.tif 000002
【図２】
0003865263.tif 000003
【図３】
0003865263.tif 000004
【図４】
0003865263.tif 000005
【図５】
0003865263.tif 000006
【図６】
0003865263.tif 000007
【図７】
0003865263.tif 000008
【図８】
0003865263.tif 000009
【図９】
0003865263.tif 000010
【図１０】
0003865263.tif 000011
【図１１】
0003865263.tif 000012
【図１２】
0003865263.tif 000013
【図１３】
0003865263.tif 000014
【図１４】
0003865263.tif 000015
【図１５】
0003865263.tif 000016
【図１６】
0003865263.tif 000017
【図１７】
0003865263.tif 000018
【図１８】
0003865263.tif 000019
【図１９】
0003865263.tif 000020
【図２０】
0003865263.tif 000021
【図２１】
0003865263.tif 000022
【図２２】
0003865263.tif 000023